【手続補正書】
【提出日】平成20年3月6日(2008.3.6)
【手続補正１】
【補正対象書類名】特許請求の範囲
【補正対象項目名】請求項２
【補正方法】変更
【補正の内容】
【請求項２】
前記電圧検出部は、１つの前記スイッチング素子を有し、
前記第１トランスコイルと前記１つのスイッチング素子とが、前記第１電源の一対の出力端子間に
互いに直列接続されている
ことを特徴とする請求項１に記載のスイッチング電源装置。
【手続補正２】
【補正対象書類名】特許請求の範囲
【補正対象項目名】請求項４
【補正方法】変更
【補正の内容】
【請求項４】
前記電圧検出部は、前記第１トランスコイルの両端にそれぞれ配置された２つの前記スイッチング素子を有し、
前記第１トランスコイルと前記２つのスイッチング素子とが、前記第１電源の一対の出力端子間に互いに直列接続されている
ことを特徴とする請求項１に記載のスイッチング電源装置。
【手続補正３】
【補正対象書類名】明細書
【補正対象項目名】００１１
【補正方法】変更
【補正の内容】
【００１１】
本発明のスイッチング電源装置では、上記電圧検出部が１つのスイッチング素子を有す
ると共に、第１トランスコイルとこの１つのスイッチング素子とを第１電源の一対の出力端子間に互いに直列接続させるように、すなわち、いわゆるフォワード型の構成とすることが可能である。この場合において、上記電圧検出部が、電圧検出用トランスに蓄積されたエネルギーを放出する放出回路を有するようにするのが好ましい。このように構成した場合、放出回路によって蓄積されたエネルギーが放出されて熱消費され、電圧検出用トランスのコアがリセットされるため、例えば直流入力電圧が０Ｖとなった場合であっても、直流入力電圧の情報を含んだ電圧を検出可能となる。
【手続補正４】
【補正対象書類名】明細書
【補正対象項目名】００１２
【補正方法】変更
【補正の内容】
【００１２】
また、上記電圧検出部が第１トランスコイルの両端側ににそれぞれ配置された２つのスイッチング素子を有すると共に、これら第１トランスコイルと２つのスイッチング素子とを第１電源の一対の出力端子間に互いに直列接続させるように、すなわち、いわゆるダブル・フォワード型の構成とすることも可能である。この場合において、上記電圧検出部が、電圧検出用トランスに蓄積されたエネルギーを第１電源へ回生する回生回路を有するようにするのが好ましい。このように構成した場合、回生回路によって電圧検出用トランスのコアがリセットされるため、例えば直流入力電圧が０Ｖとなった場合であっても、直流入力電圧を検出可能となる。また、蓄積されたエネルギーが第１電源に回生されるため、上記放出回路を設けた場合と比べ、電力損失が低減される。
【手続補正５】
【補正対象書類名】明細書
【補正対象項目名】００２４
【補正方法】変更
【補正の内容】
【００２４】
また、１次側高圧ラインＬ１Ｈに入力端子Ｔ１が、１次側低圧ラインＬ１Ｌに入力端子
Ｔ２がそれぞれ設けられており、これら入力端子Ｔ１，Ｔ２が高圧バッテリＨＢの出力端
子と接続されるようになっている。また、平滑回路１６の高圧側のラインである出力ライ
ンＬＯに出力端子Ｔ３が、平滑回路１６の低圧側のラインである接地ラインＬＧに出力端
子Ｔ４がそれぞれ設けられており、これら出力端子Ｔ３，Ｔ４が低圧バッテリＬＢの入出
力端子と接続されるようになっている。
【手続補正６】
【補正対象書類名】明細書
【補正対象項目名】００２６
【補正方法】変更
【補正の内容】
【００２６】
スイッチング素子１３Ａは、トランス１１の１次側巻線１１Ａの一端と１次側高圧ライ
ンＬ１Ｈとの間に設けられ、スイッチング素子１３Ｂは１次側巻線１１Ａの他端と１次側
低圧ラインＬ１Ｌとの間に設けられている。スイッチング素子１３Ｃは１次側巻線１１Ａ
の他端と１次側高圧ラインＬ１Ｈとの間に設けられ、スイッチング素子１３Ｄは１次側巻
線１１Ａの一端と１次側低圧ラインＬ１Ｌとの間に設けられている。上記した共振用イン
ダクタ１４は、スイッチング素子１３Ａ，１３Ｄの接続点と１次側巻線１１Ａの一端との
間に接続されている。
【手続補正７】
【補正対象書類名】明細書
【補正対象項目名】００４２
【補正方法】変更
【補正の内容】
【００４２】
次に、スイッチング素子１３Ｂがオフし、スイッチング素子１３Ｃがオンすると、トラ
ンス１１の２次側巻線１１Ｃに現れる電圧［−ＶＯ２］は、ダイオード１５Ｂに対して順
方向となる。このため、２次側巻線１１Ｃからダイオード１５Ｂを通って出力ラインＬＯに電流が流れる。
【手続補正８】
【補正対象書類名】明細書
【補正対象項目名】００４３
【補正方法】変更
【補正の内容】
【００４３】
スイッチング素子１３Ｃ，１３Ｄがオンすると、スイッチング素子１３Ｃからスイッチ
ング素子１３Ｄの方向に電流が流れ、トランス１１の２次側巻線１１Ｂ，１１Ｃに現れる
電圧［−ＶＯ１］、［−ＶＯ２］がダイオード１５Ｂに対して順方向になる一方、ダイオード１５Ａに対して逆方向となる。このため、２次側巻線１１Ｃからダイオード１５Ｂを通って出力ラインＬＯに電流が流れる。
【手続補正９】
【補正対象書類名】明細書
【補正対象項目名】００４８
【補正方法】変更
【補正の内容】
【００４８】
なお、図２（Ａ），図３（Ａ），図４（Ａ）は、ドライブ回路２５からスイッチング素
子２４へ出力されるスイッチング信号の電圧（スイッチング素子２４がＭＯＳ−ＦＥＴの
場合、ゲート・ソース間に印加される電圧）Ｖｇｓを、図２（Ｂ），図３（Ｂ），図４（
Ｂ）は、スイッチング素子２４の両端間の電圧（スイッチング素子２４がＭＯＳ−ＦＥＴ
の場合、ドレイン・ソース間の電圧）Ｖｄｓを、図２（Ｃ），図３（Ｃ），図４（Ｃ）は
、１次側巻線２１Ａに流れる電流Ｉ１を、図２（Ｄ），図３（Ｄ），図４（Ｄ）は、２次
側巻線２１Ｂに誘起される電圧（電圧検出部２０の出力電圧）Ｖ２を、図２（Ｅ），図３
（Ｅ），図４（Ｅ）は、保持部２６によって保持された電圧（ピーク電圧）Ｖｐを、図２
（Ｆ），図３（Ｆ），図４（Ｆ）は、比較部２７から制御回路１７へ出力される制御信号
Ｓの電圧をそれぞれ表し、図１，図５，図６中に示した矢印が正方向を示している。
【手続補正１０】
【補正対象書類名】明細書
【補正対象項目名】００５９
【補正方法】変更
【補正の内容】
【００５９】
また、図２〜図４のタイミング波形図から分かるように、電圧検出回路２０はほぼ完全な線形の入出力特性を有しているので、ピーク電圧Ｖｐを単純にコンパレータに入力するだけで直流入力電圧Ｖｉｎを精度良く検出することができる。したがって、上記特許文献２のように、わざわざ演算回路を用いてピーク電圧Ｖｐを補正する必要はなく、これにより、直流入力電圧Ｖｉｎの検出速度を向上させることができる。なお、直流入力電圧Ｖｉｎをより精度良く検出するには、検出された直流入力電圧Ｖｉｎの値が外部環境の温度変化に応じて変動しないことが好ましく、例えば、ピーク電圧Ｖｐが順方向電圧Ｖｆのゆらぎを無視できる程度に大きくなるように、ｎ１およびｎ２の値を設定することが好ましい。
【手続補正１１】
【補正対象書類名】明細書
【補正対象項目名】００６２
【補正方法】変更
【補正の内容】
【００６２】
また、スイッチング素子２４がオン状態のときの検出信号線Ｗ１，Ｗ２の出力電圧（ピ
ーク電圧Ｖｐ）を保持する保持部２６と、この保持部２６で保持されたピーク電圧Ｖｐの
絶対値が基準電圧Ｖｒｅｆの絶対値よりも大きい場合に、電源本体部１０のスイッチング
動作を停止させるための制御信号Ｓを出力する比較部２７とを備えるようにしたので、電
圧検出部２０によって検出された直流入力電圧Ｖｉｎの情報を含む電圧に基づいて、電源
本体部１０のスイッチング動作を停止させることが可能となる。
【手続補正１２】
【補正対象書類名】明細書
【補正対象項目名】００６４
【補正方法】変更
【補正の内容】
【００６４】
さらに、電圧検出部２０内において、トランス２１によって１次側（高圧側）と２次側
（低圧側）との間を電気的に絶縁して分断するようにしたので、安全な構成とすることが
できる。
【手続補正１３】
【補正対象書類名】明細書
【補正対象項目名】００６７
【補正方法】変更
【補正の内容】
【００６７】
図７は、本実施の形態に係るスイッチング電源装置の回路構成を表すものである。この
図において、図１に示した構成要素と同一の構成要素には同一の符号を付し、適宜説明を
省略する。このスイッチング電源装置は、第１の実施の形態のスイッチング電源装置にお
いて、電圧検出部２０の代わりに電圧検出部３０を設けるようにしたものである。
【手続補正１４】
【補正対象書類名】明細書
【補正対象項目名】００７２
【補正方法】変更
【補正の内容】
【００７２】
次に、図８〜図１２を参照して、本実施の形態のスイッチング電源装置の動作について
詳細に説明する。以下、本発明の特徴部分の１つである電圧検出部３０の動作原理、およ
び電圧検出部３０の周辺回路の動作について、順次説明する。なお、電源本体部１０の動
作については第１の実施の形態で説明したものと同様であるので、説明を省略する。
【手続補正１５】
【補正対象書類名】明細書
【補正対象項目名】００８０
【補正方法】変更
【補正の内容】
【００８０】
その後、図８（Ａ），図９（Ａ），図１０（Ａ），図１２に示したように、タイミング
ｔ１２，ｔ１５またはｔ１８においてスイッチング素子３４１，３４２がオフすると、図
１２に示したように、高圧バッテリＨＢの他端、ダイオード３２Ｂ、１次側巻線３１Ａ、
ダイオード３２Ａおよび高圧バッテリＨＢの一端へと至る電流経路Ｉｄにより、電流が流
れる。これにより、トランス３１に蓄積されたエネルギーが高圧バッテリＨＢへ回生さ
れ、その結果、トランス３１のコアがリセットされる。
【手続補正１６】
【補正対象書類名】明細書
【補正対象項目名】００８２
【補正方法】変更
【補正の内容】
【００８２】
以上のように、本実施の形態では、電圧検出部３０内の１次側巻線３１Ａを、２つのス
イッチング素子３４１，３４２を介して高圧バッテリＨＢの出力端に接続された入力端子
Ｔ１，Ｔ２に接続することにより、直流入力電圧Ｖｉｎの情報を含む電圧を高圧バッテリ
ＨＢの出力端から直接検出するようにしたので、上記第１の実施の形態と同様の効果を得
ることが可能となる。すなわち、直流出力電圧Ｖｏｕｔが変動した場合であっても、直流
入力電圧Ｖｉｎの値を精度良く検出することができる。また、電源本体部１０のスイッチ
ング動作が停止した場合であっても、電圧検出部３０が直流入力電圧Ｖｉｎの情報を含む
電圧を検出することができる。